(57)【要約】【課題】日々の洗濯を楽しくすることができ、使用者の洗濯への関心を高めることができる洗濯機を提供する。【解決手段】運転履歴を記録する記録部と、報知情報と当該報知情報を報知するための報知条件とを関連付けて記憶する記憶部と、受付部で運転操作を受け付けた場合に、記録部に記録した運転履歴に基づいて報知条件を充足するか否かを判定する判定部と、記憶部に記憶した報知情報の中から判定部で充足する判定した報知条件に関連付けられた報知情報を選択する選択部とを備え、報知部は、選択部で選択した報知情報を報知するようにしてある。【選択図】図３
2014226418.tif 000002
【特許請求の範囲】
【請求項１】
運転操作を受け付ける受付部と、所定の報知情報を報知する報知部とを備える洗濯機において、
運転履歴を記録する記録部と、
前記報知情報と該報知情報を報知するための報知条件とを関連付けて記憶する記憶部と、
前記受付部で運転操作を受け付けた場合に、前記記録部に記録した運転履歴に基づいて前記報知条件を充足するか否かを判定する判定部と、
前記記憶部に記憶した報知情報の中から前記判定部で充足する判定した報知条件に関連付けられた報知情報を選択する選択部と
を備え、
前記報知部は、
前記選択部で選択した報知情報を報知するようにしてあることを特徴とする洗濯機。
【請求項２】
前記判定部は、
前記記録部に記録した運転履歴が示す運転が所定の推奨運転ではない場合、前記報知条件を充足すると判定するようにしてあることを特徴とする請求項１に記載の洗濯機。
【請求項３】
前記報知部は、
前記推奨運転を促すための推奨情報を音声により報知するようにしてあることを特徴とする請求項１又は請求項２に記載の洗濯機。
【請求項４】
前記受付部は、
電源入操作、運転開始操作、洗濯槽のドアロックを解除するロック解除操作及び報知情報の報知開始操作の少なくとも１つの運転操作を受け付けるようにしてあることを特徴とする請求項１から請求項３までのいずれか１つに記載の洗濯機。
【請求項５】
前記記録部は、
運転の種別、洗濯物の量、洗剤量、すすぎ回数、排水の汚れ度合、運転工程終了からロック解除までの時間、所定期間内の運転回数及び運転時の異常状態の少なくとも１つに関する運転履歴を記録するようにしてあることを特徴とする請求項１から請求項４までのいずれか１つに記載の洗濯機。
【発明の詳細な説明】
【技術分野】
【０００１】
本発明は、所定の報知情報を報知する洗濯機に関する。
【背景技術】
【０００２】
近年広く普及しているドラム式の洗濯機は、有底円筒状の水槽を、横姿勢又は斜め横姿勢で筐体内に支持し、この水槽の内部に、同軸上にて回転する有底円筒状の回転ドラムを収容して構成されている。そして、かかる洗濯機は、水槽及び回転ドラム内に乾燥風を循環させる乾燥風路を備え、乾燥風路には、回転ドラムの空気を吸い込む送風ファン、及び空気を加熱するヒータなどが設けられている。
【０００３】
このような洗濯機では、耐用時間の管理を適切に行うため、例えば、所定の洗濯動作の運転回数及び交流電源に直列に接続されたリレーの駆動回数などを記録し、記録した運転回数又は駆動回数が耐用回数を超えたときに、使用者に注意を喚起すべく報知音を発生させ、あるいは所定の表示を行うものがある（特許文献１参照）。
【先行技術文献】
【特許文献】
【０００４】
【特許文献１】特開２０１０−２０７３９０号公報
【発明の概要】
【発明が解決しようとする課題】
【０００５】
しかし、表示又は音声により耐用年数又は耐用回数が超えたことを報知することは使用者にとってみれば便利であるが、画一的又は機械的な報知内容では、日々の洗濯が退屈になってしまう。
【０００６】
本発明は斯かる事情に鑑みてなされたものであり、日々の洗濯を楽しくすることができ、使用者の洗濯への関心を高めることができる洗濯機を提供することを目的とする。
【課題を解決するための手段】
【０００７】
本発明に係る洗濯機は、運転操作を受け付ける受付部と、所定の報知情報を報知する報知部とを備える洗濯機において、運転履歴を記録する記録部と、前記報知情報と該報知情報を報知するための報知条件とを関連付けて記憶する記憶部と、前記受付部で運転操作を受け付けた場合に、前記記録部に記録した運転履歴に基づいて前記報知条件を充足するか否かを判定する判定部と、前記記憶部に記憶した報知情報の中から前記判定部で充足する判定した報知条件に関連付けられた報知情報を選択する選択部とを備え、前記報知部は、前記選択部で選択した報知情報を報知するようにしてあることを特徴とする。
【０００８】
本発明に係る洗濯機は、前記判定部は、前記記録部に記録した運転履歴が示す運転が所定の推奨運転ではない場合、前記報知条件を充足すると判定するようにしてあることを特徴とする。
【０００９】
本発明に係る洗濯機は、前記報知部は、前記推奨運転を促すための推奨情報を音声により報知するようにしてあることを特徴とする。
【００１０】
本発明に係る洗濯機は、前記受付部は、電源入操作、運転開始操作、洗濯槽のドアロックを解除するロック解除操作及び報知情報の報知開始操作の少なくとも１つの運転操作を受け付けるようにしてあることを特徴とする。
【００１１】
本発明に係る洗濯機は、前記記録部は、運転の種別、洗濯物の量、洗剤量、すすぎ回数、排水の汚れ度合、運転工程終了からロック解除までの時間、所定期間内の運転回数及び運転時の異常状態の少なくとも１つに関する運転履歴を記録するようにしてあることを特徴とする。
【発明の効果】
【００１２】
本発明によれば、日々の洗濯を楽しくすることができ、使用者の洗濯への関心を高めることができる。
【図面の簡単な説明】
【００１３】
【図１】本実施の形態の洗濯機の外観の一例を示す斜視図である。
【図２】本実施の形態の洗濯機の内部構成の一例を示す縦断面図である。
【図３】本実施の形態の洗濯機の構成の一例を示すブロック図である。
【図４】本実施の形態の洗濯機の操作パネルの一例を示す模式図である。
【図５】本実施の形態の洗濯機による報知情報の第１の実施態様例を示す説明図である。
【図６】本実施の形態の洗濯機による報知情報の第２の実施態様例を示す説明図である。
【図７】本実施の形態の洗濯機による報知情報の第３の実施態様例を示す説明図である。
【図８】本実施の形態の洗濯機による報知情報の第４の実施態様例を示す説明図である。
【図９】本実施の形態の洗濯機による報知情報の第５の実施態様例を示す説明図である。
【図１０】本実施の形態の洗濯機による報知情報の第６の実施態様例を示す説明図である。
【図１１】本実施の形態の洗濯機による報知情報の第７の実施態様例を示す説明図である。
【図１２】本実施の形態の洗濯機による報知情報の第８の実施態様例を示す説明図である。
【図１３】本実施の形態の洗濯機による報知情報の第９の実施態様例を示す説明図である。
【発明を実施するための形態】
【００１４】
以下、本発明をその実施の形態を示す図面に基づいて説明する。図１は本実施の形態の洗濯機１００の外観の一例を示す斜視図であり、図２は本実施の形態の洗濯機１００の内部構成の一例を示す縦断面図である。洗濯機１００は、洗濯と乾燥とを行うことができる洗濯乾燥機であるが、乾燥を行わず洗濯のみ行うものでもよい。
【００１５】
本実施の形態の洗濯機１００は、外装を構成する外箱１の内部に水槽２及び回転ドラム３などを備える。水槽２は、一側に開口２０を設けた大径の有底円筒体であり、外箱１の底面に立設された複数本の支持脚２１（１本のみ図示）により、開口２０の側を上とし、水平面に対して軸心を傾けた傾斜姿勢を保って弾性的に支持されている。
【００１６】
水槽２の内部には、回転ドラム３が収容されている。回転ドラム３は、水槽２よりも若干小径の有底円筒体であり、一側の開口３０を水槽２の開口２０の内側に臨ませ、水槽２の底部中央に固設されたドラムモータ４の出力軸４０の端部に連結してあり、ドラムモータ４の駆動により、水槽２の内部にて回転するように構成してある。
【００１７】
回転ドラム３は、開口３０の外側に周設された流体バランサ３１を備える。流体バランサ３１は、回転ドラム３が回転した場合に、当該回転に伴う振動を吸収して緩和する機能を有する。ドラムモータ４は、水槽２の底板の外側に連設されたモータ室４１の内部に設けてある。ドラムモータ４の出力軸４０は、水槽２の底板を液密に貫通し、当該底板の中央に突出しており、回転ドラム３は、突出した出力軸４０の端部に連結してある。回転ドラム３の周壁には、多数の小孔３２が全面に亘って貫通形成されている。また、回転ドラム３の内面には、軸長方向に延びる複数のバッフル３３が周方向に等配をなして突設されている。なお、簡便のため、図２には、小孔３２の一部及び１つのバッフル３３を図示している。
【００１８】
外箱１の前面（図２の左側面）には、水槽２の開口２０を臨む位置に、ドア１０によって開閉可能に洗濯物Ａの投入口１１が開設されている。投入口１１と水槽２の開口２０との間は、ベローズ１２によって液密に封止されている。外箱１の前面には、ドア１０の近傍にドア開ボタン１３が設けてある。また、ドア１０には、ドア１０の閉止時に押圧操作するための押圧部１４が設けてある。ドア１０は、ドア開ボタン１３の操作によって開放され、また周縁部を把持して閉操作し、押圧部１４を外側から押すことにより閉止される。外箱１の前面に設けた投入口１１は、水槽２及び回転ドラム３の開口２０、３０に臨ませてある。
【００１９】
外箱１の前面上部には操作パネル１５が設置されている。操作パネル１５は、運転内容を決定するための複数の操作ボタンと、操作ボタンによって決定された運転内容に対応する文字及び／又は図形を表示する表示部とを有する。操作パネル１５は、外箱１の内部における前下部に設けられている運転制御部１６に接続してあり、操作パネル１５に対する操作情報は、運転制御部１６へ出力される。運転制御部１６は、操作パネル１５から出力された操作情報に基づいて運転内容を決定し、決定した運転内容に従って洗濯運転及び乾燥運転等を行う。
【００２０】
外箱１の後部上面には、水道への接続端となる給水口１７が設けてあり、給水口１７は、外箱１の内側に設けられた給水弁１８に接続されている。給水弁１８は、複数の給水出口を有する多連形の電磁弁である。給水弁１８の第１給水出口は、給水管１９を介して水槽２の底板近傍の上部周面に接続されている。給水管１９の中途には、銀イオン発生器２２が設けられている。銀イオン発生器２２は、給水管１９を流れる水を滞留させる図示しない水溜め部と、電圧の印加によって銀イオンを水溜め部に滞留している水に溶出する図示しない対向電極とを有する。銀イオン発生器２２、より具体的には対向電極夫々は、運転制御部１６に接続されており、運転制御部１６による対向電極間の電圧印加によって、銀イオンを水溜め部に滞留している水に溶出する。給水弁１８が第１給水出口に切換えられた場合、給水口１７に流入した水は、給水弁１８及び給水管１９を経て水槽２の内部に供給され、洗い用の洗濯水、又は、すすぎ用のすすぎ水として使用される。尚、給水管１９の中途に、銀イオン発生器２２の他に、公知のように洗剤ケースを配置し、給水と共に適量の洗剤が導入されるように構成することができる。
【００２１】
水槽２には、最下位置となる底板近傍の周面に導水管２３が接続されており、導水管２３は、外箱１の内側における前下部に固定支持された筒形のフィルタケース２４に接続されている。フィルタケース２４の内部には、繊維屑等の異物を捕捉する糸くずフィルタ２５が収容されている。フィルタケース２４の下部は、排水弁２６を介して外箱１の底面に沿って敷設された排水管２７に接続されている。排水弁２６が開放された場合、水槽２内の洗濯水又はすすぎ水は、導水管２３及びフィルタケース２４を経て排水管２７に排出される。水槽２内の洗濯水又はすすぎ水に含まれる異物は、フィルタケース２４内の糸くずフィルタ２５によって捕捉され、洗濯水又はすすぎ水から除去される。従って、異物が排水管２７を経て下水管に排出される虞がないため、環境負荷の軽減を図ることができる。
【００２２】
また、図２に示すように、循環風路５は、水槽２の下部底面に開設された導出口５０と、水槽２の開口２０の周縁部に開設された導入口５１とを、上行ダクト５２及び前行ダクト５３により連絡してある。上行ダクト５２及び前行ダクト５３夫々は、外箱１の内部における後側及び上側に配してある。上行ダクト５２の下端部及び上端部夫々は、導出口５０及び前行ダクト５３の後端部に連結してある。前行ダクト５３の前端部は、水槽２の前側上部の周縁に開口する導入口５１に接続されている。
【００２３】
前行ダクト５３の中途には、塵埃を捕捉するためのリントフィルタ（乾燥フィルタ）５４、乾燥風を起風する送風機５５、及び、乾燥風を加熱するヒータ５６が、後側から前側にこの順に介装してある。また、送風機５５及びヒータ５６の間を接続してある前行ダクト５３の側壁には、プラズマクラスタイオン（Plasma Cluster Ion; ＰＣＩ）を発生させて、前行ダクト５３を通流する乾燥風にＰＣＩを含ませるＰＣＩ発生器５７が設けてある。また給水弁１８の第２給水出口は、冷却水管５８を介して上行ダクト５２に沿って下方に延設されており、冷却水管５８の下端は、上行ダクト５２における下部の後壁に接続されている。
【００２４】
図３は本実施の形態の洗濯機１００の構成の一例を示すブロック図である。運転制御部１６は、ＣＰＵ（Central Processing Unit）６１、記録部６２、入出力部６３及び通信部６４などを備える。
【００２５】
ＣＰＵ６１は、記録部６２に記憶された制御プログラムなどを読み出して実行することにより、洗濯動作に係る各種の演算処理及び制御処理等を行う。
【００２６】
記録部６２は、例えば、ＲＡＭ（Random Access Memory）又はＥＥＰＲＯＭ（Electrically Erasable Programmable Read Only Memory）又はフラッシュメモリ等の不揮発性でデータ書き換え可能なメモリ素子で構成されており、ＣＰＵ６１が実行する制御プログラム及びこれに必要な種々のデータ等が記録してある。また、記録部６２は、運転履歴を記録してある。運転履歴は、例えば、今回洗濯機を使用する際の運転の種別（運転のコース）、洗濯運転前に確認する洗濯物の量の多少、また洗剤量の多少、すすぎ回数、排水の汚れ度合、運転工程終了からロック解除までの時間、所定期間内の運転回数及び運転時の異常状態（エラー）などの少なくとも１つに関するものである。このような情報の記憶であれば、ＲＡＭで対応可能である。なお、運転履歴は、過去の上述した運転の種別（運転コース）やエラーの累積など、上述の例に限定されるものではなく、この内容を記憶させる場合には、不揮発性メモリを用いる必要がある。
【００２７】
入出力部６３は、ドラムモータ４、給水弁１８、排水弁２６、送風機５５、ヒータ５６、銀イオン発生器２２及びＰＣＩ発生器５７等が接続されており、これらとＣＰＵ６１との間のデータ入出力を行う。ＣＰＵ６１は、入出力部６３を介して、例えば、ドラムモータ４の回転制御及び給水弁１８の開閉制御等を行うことができる。
【００２８】
通信部６４は、信号線を介して操作パネル１５に接続されており、ＣＰＵ６１と操作パネル１５との間の情報送受信を行う。ＣＰＵ６１は、通信部６４を介して、操作パネル１５にて受け付けたユーザの操作に基づいた洗濯動作を行うことができる。
【００２９】
操作パネル１５は、ＣＰＵ７１、操作部７２、タッチセンサ７３、ＬＥＤ（Light Emitting Diode）７４、通信部７５、報知部７６、記憶部７７などを備える。なお、報知部７６は、報知情報を音声で出力する場合、例えば、スピーカで構成することができ、報知情報を文字等で出力する場合、ＬＥＤ、液晶表示装置（ＬＣＤ）で構成することができる。
【００３０】
ＣＰＵ７１は、操作部７２における操作の受け付け、タッチセンサ７３に対する接触操作の有無の判定、ＬＥＤ７４の点灯制御、報知部７６への報知情報の出力、記憶部７７に記憶した情報の読出し又は記憶部７７への情報の書込みなどの処理を行う。操作部７２及びタッチセンサ７３は、運転操作を受け付ける受付部としての機能を有する。
【００３１】
ＣＰＵ７１は、操作部７２又はタッチセンサ７３にて操作を受け付けた場合に、通信部７５を介して操作内容等の情報を運転制御部１６へ送信する処理を行う。操作内容等の情報を入力することでＣＰＵ６１は、洗濯、乾燥運転の制御を行う。
【００３２】
通信部７５は、信号線（有線又は無線等）を介して運転制御部１６に接続されており、ＣＰＵ７１と運転制御部１６との間の情報送受信を行う。
【００３３】
操作部７２は、図４に一例を示すように、例えば、電源入操作を受け付けるための入ボタン７２ａ、電源切操作を受け付けるための切ボタン７２ｂ、運転開始操作を受け付けるためのスタートボタン７２ｃ、洗濯槽のドアロックを解除するロック解除操作を受け付けるためのロック解除ボタン７２ｄ、報知情報としての音声出力の開始操作を受け付けるための音声ボタン７２ｅなどの複数のタクトボタン（機械式ボタン）を有しており、各ボタンに対するプッシュ操作がなされた場合に、ＣＰＵ７１への通知を行う。なお、上述の操作ボタンは、これらに限定されるものではない。
【００３４】
タッチセンサ７３は、ユーザによる接触操作を検知するためのものであり、接触に係る物理量を検知して、検知した物理量に応じた信号を出力する。タッチセンサ７３は、例えば静電容量方式のものであり、検知した静電容量に応じた電気信号をＣＰＵ７１へ出力する。ＣＰＵ７１は、タッチセンサ７３が出力した電気信号の電圧値と予め設定されている閾値とを比較し、電圧値が閾値を超えて変化した場合にタッチセンサ７３に対する接触操作がなされたと判定することができる。
【００３５】
ＬＥＤ７４は、操作パネル１５上に文字、絵柄又は図形等を点灯により表示するためのものである。ＣＰＵ７１は、複数のＬＥＤ７４の点灯／消灯を個別に制御することにより、洗濯乾燥機の運転状態又はユーザによる操作状態等に適した表示を行うことができる。
【００３６】
記憶部７７は、報知情報と当該報知情報を報知するための報知条件とを関連付けて記憶してある。報知条件及び報知情報の詳細は後述する。
【００３７】
ＣＰＵ７１は、判定部としての機能を有し、操作パネル１５（操作部７２、タッチセンサ７３など）で運転操作を受け付けた場合に、記録部６２に記録した運転履歴に基づいて報知条件を充足するか否かを判定する。
【００３８】
また、ＣＰＵ７１は、選択部としての機能を有し、記憶部７７に記憶した報知情報の中から、充足する判定した報知条件に関連付けられた報知情報を選択し、選択した報知情報を報知部７６へ出力する。以上説明した判定部、選択部として機能する手段としてＣＰＵ７１として説明したが、この機能をＣＰＵ６１で担うこともできる。以下の説明では、ＣＰＵ７１が行うものとして説明するが、ＣＰＵ６１にて実行させてもよい。
【００３９】
図４は本実施の形態の洗濯機１００の操作パネル１５の一例を示す模式図である。操作パネル１５上には、複数のタクトボタン（入ボタン７２ａ〜音声ボタン７２ｅ）を有する操作部７２が、向かって右端側の部分に設けられている。また、操作パネル１５上の他の部分には、タッチセンサ７３によるタッチボタン７３ａ〜７３ｎ、及びＬＥＤ７４にて表示／非表示の制御がなされる表示部７４ａ〜７４ｍなどが適宜に配置されている。また、操作パネル１５上の略中央部には、報知部としてスピーカ７６を設けている。なお、これらのボタンの配置、スピーカ７６の配置は、図４の例に限定されるものではない。
【００４０】
操作部７２の各タクトボタンは、ユーザのプッシュ操作に応じて機械的な接点の接触／非接触が切り替わり、これによりユーザのプッシュ操作を検知する構成である。各タクトボタンの表面には、操作受付内容を示す文字及びボタンの位置を示す枠線等が印刷されており、ユーザはこれらを常に視認可能である。入ボタン７２ａは、洗濯乾燥機に対する電源投入の指示を受け付けるために用いられる。切ボタン７２ｂは、電源遮断の指示を受け付けるために用いられる。スタートボタン７２ｃは、洗濯動作の開始及び一時停止の指示を受け付けるために用いられる。ロック解除ボタン７２ｄは、ドア１０のロックを解除する指示を受け付けるために用いられる。音声ボタン７２ｅは、使用者が報知情報を確認したい場合などに音声出力する指示を受け付けるために用いられる。
【００４１】
次に、報知条件と報知情報について説明する。図５は本実施の形態の洗濯機１００による報知情報の第１の実施態様例を示す説明図である。運転状態は、運転履歴が示す運転の状態であり、例えば、入ボタン７２ａを操作して洗濯機１００の電源入操作を行う前においては、過去に行った運転履歴である。例えば、前回運転による電源を投入後に、運転切換キー７３ａ、コースキー７３ｂを含めて選択された運転モード等が過去の運転履歴として記録される。また、今回、入ボタン７２ａを操作して洗濯機１００の電源入操作を行った場合には、当該操作により選択された運転モード等の運転による運転履歴も含まれる。報知条件は、対応する報知情報を報知するか否かを判定するための条件であり、報知条件が充足する場合には、充足した報知条件に関連付けられた報知情報が報知される。報知タイミングは、報知情報が報知されるタイミングを示す。なお、図５に示す報知条件と報知情報とは予め関連付けして記憶部７７に記憶してある。
【００４２】
図５に示すように、例えば、使用者が設定した運転コースが「お急ぎ」である場合、記録部６２には、運転コースとして「お急ぎ」が記録される。スタートボタン７２ｃを操作したタイミングで「急いで仕上げるよ」という音声を出力する。すなわち、ＣＰＵ７１は、スタートボタン７２ｃが操作された場合（運転開始操作を受け付けた場合）、記録部６２に運転履歴として記録された運転コースが「お急ぎ」である場合、「お急ぎ」に関連付けられた報知情報「急いで仕上げるよ」を選択する。これにより、報知部７６は、「「急いで仕上げるよ」という音声を出力する。
【００４３】
同様に、運転履歴として記録された運転コースが「柔らか」である場合、「やさしく仕上げるよ」という音声を出力する。また、同様に運転コースが「わが家流」である場合、「ウチだけの特別コース。始めます」という音声を出力する。また、運転コースが「室内干し」である場合、「私が干すお手伝いをしてあげる」という音声を出力する。また、運転コースが「念入り」である場合、「がんばって、しっかり洗うぞ」という音声を出力する。また、運転コースが「ドライ」である場合、「大事な洋服、ていねいに洗うよ」という音声を出力する。また、運転コースが「毛布」である場合、「大きいのは大変だけど、がんばって洗うよ」という音声を出力する。なお、図５に例示した報知情報は一例であって、これらに限定されるものではない。
【００４４】
図５に示すように、使用者が設定した運転コースが記録部６２に運転履歴として記録され、運転履歴に応じて、運転コースと関連性がある内容の報知情報を出力する。これにより、使用者は楽しい状態になり、洗濯又は洗濯機１００に対する関心又は愛着を強く抱くことができる。このような報知が行われることで、日々の洗濯を楽しくすることができ、使用者の洗濯への関心を高めることができる。
【００４５】
図６は本実施の形態の洗濯機１００による報知情報の第２の実施態様例を示す説明図である。なお、図６に示す報知条件と報知情報とは予め関連付けして記憶部７７に記憶してある。運転制御部１６は、スタートボタン７２ｃが操作された後、容量センシングを行って洗濯物の量の多少を判定し、判定した結果を運転履歴として記録部６２に記録する。そして、図６に示すように、例えば、洗濯物の量が３ｋｇ以下である場合、記録部６２には、洗濯物の量が３ｋｇ以下であることが記録される。スタートボタン７２ｃを操作した後、容量センシングを行って洗濯物の量が判定され、洗濯物の量が３ｋｇ以下であるときは、「まかせといて」又は「余裕、余裕」のいずれかが音声出力される。
【００４６】
すなわち、ＣＰＵ７１は、スタートボタン７２ｃが操作された後、容量センシングの判定結果が記録部６２に記録されると、記録部６２に記録された報知条件が、洗濯物の量が３ｋｇ以下である場合、洗濯物の量が３ｋｇ以下である状態に関連付けられた報知情報「まかせといて」又は「余裕、余裕」のいずれかを選択する。なお、いずれの報知情報を選択するかは、例えば、乱数等を発生させて適宜選択するようにすることができる。これにより、報知部７６は、「まかせといて」又は「余裕、余裕」という音声を出力する。なお、乱数でなく、前回の報知内容と異なる側の報知内容を音声出力するようにしてもよい。
【００４７】
同様に、洗濯物の量が３ｋｇ〜６ｋｇ以下である場合、「いつもご苦労様」又は「きれいにするぞ」という音声を出力する。また、洗濯物の量が６ｋｇを越えた場合、「大変だ、がんばるよ」という音声を出力する。
【００４８】
また、前回に行った洗濯時の洗濯物の量が容量上限を超えていた場合、入ボタン７２ａ（電源入ボタン）が操作されたタイミングで、「この前の洗濯は入れ過ぎだよ」という音声を出力する。また、３回連続して洗濯物の量が容量下限を下回った場合、入ボタン７２ａ（電源入ボタン）が操作されたタイミングで、「まとめ洗いでエコになるよ」という音声を出力する。なお、連続回数は３回に限定されるものではなく、２回又は４回以上であってもよい。
【００４９】
また、洗濯物の量が乾燥容量の上限を越えた場合、ロック解除ボタン７２ｄが操作されたタイミングで、「乾燥するには多過ぎだよ。時間がかかっちゃった」という音声を出力する。なお、図６に例示した報知情報は一例であって、これらに限定されるものではない。
【００５０】
図６に示すように、洗濯物の量（運転履歴）に応じて、洗濯物の量と関連性がある内容の報知情報を出力することにより、使用者は楽しい状態になり、洗濯又は洗濯機１００に対する関心又は愛着を強く抱くことができる。
【００５１】
また、所定の推奨運転として、洗濯物の量が多すぎることもなく、かつ少なすぎることもない場合、すなわち洗濯物の量が適量である状態の運転とした場合、ＣＰＵ７１が、記録部６２に記録した運転履歴が示す運転（すなわち、洗濯物の量）が推奨運転ではない場合、報知条件を充足すると判定して、洗濯物の量に関連する報知情報を報知することにより、使用者の洗濯機の使用状態又は洗濯パターンに応じて、適切なアドバイスを使用者に提供することができ、洗濯への関心をさらに高めることができる。
【００５２】
図７は本実施の形態の洗濯機１００による報知情報の第３の実施態様例を示す説明図である。なお、図７に示す報知条件と報知情報とは予め関連付けして記憶部７７に記憶してある。運転制御部１６は、例えば、水槽２内で発生する泡の多少に応じて洗剤量の多少を判定することができる。運転制御部１６は、運転が終了した場合、洗剤量の多少を運転履歴として記録部６２に記録する。そして、図７に示すように、記録部６２に記録された洗剤量が多い場合、ロック解除ボタン７２ｄを操作したタイミングで、「洗剤入れ過ぎだったかな？」、「しっかりすすいでおいたよ」又は「次回は洗剤量を減らしてね」のいずれかを選択して音声出力される。
【００５３】
すなわち、ＣＰＵ７１は、ロック解除ボタン７２ｄが操作された場合、記録部６２に記録された報知条件が、洗剤量が多い場合、洗剤量が多い状態に関連付けられた報知情報「洗剤入れ過ぎだったかな？」、「しっかりすすいでおいたよ」又は「次回は洗剤量を減らしてね」のいずれかを選択する。なお、いずれの報知情報を選択するかは、例えば、乱数等を発生させて適宜選択するようにすることができる。これにより、報知部７６は、「洗剤入れ過ぎだったかな？」、「しっかりすすいでおいたよ」又は「次回は洗剤量を減らしてね」という音声を出力する。
【００５４】
また、前回に行った洗濯時の洗剤量が多かった場合、入ボタン７２ａ（電源入ボタン）が操作されたタイミングで、「もう少し洗剤を減らしても、ちゃんと洗えるよ」という音声を出力する。また、前回に行った洗濯時の洗剤量が少なかった場合、入ボタン７２ａ（電源入ボタン）が操作されたタイミングで、「洗剤が少な目とちがう？ちゃんと洗えている？」という音声を出力する。
【００５５】
また、洗剤量が少なかったとき、又は、すすぎ１回の洗剤のとき、ロック解除ボタン７２ｄが操作されたタイミングで、「次回はすすぎ１回にする？」という音声を出力する。なお、図７に例示した報知情報は一例であって、これらに限定されるものではない。
【００５６】
図７に示すように、洗剤量（運転履歴）に応じて、洗剤量と関連性がある内容の報知情報を出力することにより、使用者は楽しい状態になり、洗濯又は洗濯機１００に対する関心又は愛着を強く抱くことができる。
【００５７】
また、所定の推奨運転として、洗剤の量が多すぎることもなく、かつ少なすぎることもない場合、すなわち洗剤の量が適量である状態の運転とした場合、ＣＰＵ７１が、記録部６２に記録した運転履歴が示す運転（すなわち、洗剤の量）が推奨運転ではない場合、報知条件を充足すると判定して、洗剤の量に関連する報知情報を報知することにより、使用者の洗濯機の使用状態又は洗濯パターンに応じて、適切なアドバイスを使用者に提供することができ、洗濯への関心をさらに高めることができる。
【００５８】
図８は本実施の形態の洗濯機１００による報知情報の第４の実施態様例を示す説明図である。なお、図８に示す報知条件と報知情報とは予め関連付けして記憶部７７に記憶してある。運転制御部１６は、運転を終了する都度、使用者により当初設定されたすすぎ回数を増加するように判定したか、あるいは、設定されたすすぎ回数を減らすように判定したかを示す判定結果を運転記録として記録部６２に記録する。そして、図８に示すように、過去の運転において、３回連続してすすぎ回数を増やすと判定した判定結果が記録部６２に記録されている場合、入ボタン７２ａ（電源入ボタン）が操作されたタイミングで、「しっかり洗うなら念入りコースを選んでね」という音声出力をする。
【００５９】
すなわち、ＣＰＵ７１は、入ボタン７２ａ（電源入ボタン）が操作された場合、報知条件として、３回連続してすすぎ回数を増やすと判定した運転履歴が記録部６２に記録されている場合、「しっかり洗うなら念入りコースを選んでね」という報知情報を報知部７６へ出力する。これにより、報知部７６は、「しっかり洗うなら念入りコースを選んでね」という音声を出力する。
【００６０】
同様に、過去の運転において、３回連続してすすぎ回数を減らすと判定した判定結果が記録部６２に記録されている場合、入ボタン７２ａ（電源入ボタン）が操作されたタイミングで、「すすぎ１回洗剤使ってる？」又は「洗剤量を少し減らしても大丈夫だよ」という音声出力をする。なお、図８に例示した報知情報は一例であって、これらに限定されるものではない。
【００６１】
図８に示すように、すすぎ回数（運転履歴）に応じて、すすぎ回数と関連性がある内容の報知情報を出力することにより、使用者は楽しい状態になり、洗濯又は洗濯機１００に対する関心又は愛着を強く抱くことができる。
【００６２】
また、所定の推奨運転として、すすぎ回数の増減の頻度が少ない状態の運転とした場合、ＣＰＵ７１が、記録部６２に記録した運転履歴が示す運転（すなわち、すすぎ回数の増減）が推奨運転ではない場合、報知条件を充足すると判定して、すすぎ回数に関連する報知情報を報知することにより、使用者の洗濯機の使用状態又は洗濯パターンに応じて、適切なアドバイスを使用者に提供することができ、洗濯への関心をさらに高めることができる。
【００６３】
図９は本実施の形態の洗濯機１００による報知情報の第５の実施態様例を示す説明図である。なお、図９に示す報知条件と報知情報とは予め関連付けして記憶部７７に記憶してある。運転制御部１６は、運転を終了する都度、排水の汚れを判定し、判定結果を運転記録として記録部６２に記録する。なお、排水の汚れは、排水時の水に所定の光を透過させ、透過率の大小で判定することができる。そして、図９に示すように、過去の運転において、排水の汚れが多いと判定した判定結果が記録部６２に記録されている場合、入ボタン７２ａ（電源入ボタン）が操作されたタイミングで、「念入りコースを使ってね」又は「先に予備洗いする？」のいずれかを選択して音声出力する。
【００６４】
図９に示すように、排水の汚れ（運転履歴）に応じて、排水と関連性がある内容の報知情報を出力することにより、使用者は楽しい状態になり、洗濯又は洗濯機１００に対する関心又は愛着を強く抱くことができる。
【００６５】
また、所定の推奨運転として、排水の汚れが少ない状態の運転とした場合、ＣＰＵ７１が、記録部６２に記録した運転履歴が示す運転（すなわち、排水の汚れが多い）が推奨運転ではない場合、報知条件を充足すると判定して、排水に関連する報知情報を報知することにより、使用者の洗濯機の使用状態又は洗濯パターンに応じて、適切なアドバイスを使用者に提供することができ、洗濯への関心をさらに高めることができる。
【００６６】
図１０は本実施の形態の洗濯機１００による報知情報の第６の実施態様例を示す説明図である。なお、図１０に示す報知条件と報知情報とは予め関連付けして記憶部７７に記憶してある。運転制御部１６は、運転終了から使用者がロック解除ボタン７２ｄを操作するまでの時間を計測し、計測した時間を運転履歴として記録部６２に記録する。そして、図１０に示すように、運転終了からロック解除までの時間が２０分以内である場合、ロック解除ボタン７２ｄが操作されたタイミングで、「すぐに来てくれてうれしいな」という報知情報を音声出力する。
【００６７】
すなわち、ＣＰＵ７１は、ロック解除ボタン７２ｄが操作された場合、報知条件として、運転終了からロック解除までの時間が２０分以内であるという運転履歴が記録部６２に記録されているとき、「すぐに来てくれてうれしいな」という報知情報を報知部７６へ出力する。これにより、報知部７６は、「すぐに来てくれてうれしいな」という音声を出力する。
【００６８】
同様に、運転終了からロック解除までの時間が２１分〜６０分以内であるという運転記録が記録部６２に記録されている場合、ロック解除ボタン７２ｄが操作されたタイミングで、「早く取りに来てくれてありがとう」という報知情報を音声出力する。また、運転終了からロック解除までの時間が６１分以上であるという運転記録が記録部６２に記録されている場合、ロック解除ボタン７２ｄが操作されたタイミングで、「早く取り出したらシワになりにくいよ」という報知情報を音声出力する。なお、図１０に例示した報知情報は一例であって、これらに限定されるものではない。
【００６９】
図１０に示すように、運転終了からロック解除までの時間に応じて、当該時間と関連性がある内容の報知情報を出力することにより、使用者は楽しい状態になり、洗濯又は洗濯機１００に対する関心又は愛着を強く抱くことができる。
【００７０】
図１１は本実施の形態の洗濯機１００による報知情報の第７の実施態様例を示す説明図である。なお、図１１に示す報知条件と報知情報とは予め関連付けして記憶部７７に記憶してある。運転制御部１６は、運転を行った日時を運転履歴として記録部６２に記録する。そして、図１１に示すように、所定期間としての過去５日の間で、運転回数が３回以上である場合、入ボタン７２ａ（電源入ボタン）が操作されたタイミングで、「いつも洗濯お疲れ様」という報知情報を音声出力する。
【００７１】
また、同様に、所定期間としての過去５日の間で、１回も運転していない場合、入ボタン７２ａ（電源入ボタン）が操作されたタイミングで、「最近洗濯していないね」という報知情報を音声出力する。また、所定期間としての同じ日にで、３回以上運転している場合、入ボタン７２ａ（電源入ボタン）が操作されたタイミングで、「大変だね。一日に何度もご苦労様。これでＯ回目だね」という報知情報を音声出力する。なお、図１１に例示した報知情報は一例であって、これらに限定されるものではない。
【００７２】
図１１に示すように、運転頻度に応じて、運転頻度と関連性がある内容の報知情報を出力することにより、使用者は癒された気分となり、楽しい状態になる。また、洗濯又は洗濯機１００に対する関心又は愛着を強く抱くことができる。
【００７３】
図１２は本実施の形態の洗濯機１００による報知情報の第８の実施態様例を示す説明図である。なお、図１２に示す報知条件と報知情報とは予め関連付けして記憶部７７に記憶してある。運転制御部１６は、運転中に発生した運転工程（洗い工程、すすぎ工程、脱水工程、乾燥工程など）でのエラー（異常）を検出し、検出したエラーを記録部６２に記録する。そして、図１２に示すように、乾燥フィルタエラーが発生した場合、入ボタン７２ａ（電源入ボタン）が操作されたタイミングで、「乾燥フィルタの掃除をしないと時間がかかるよ」又は「乾燥フィルタの掃除をしてね。こわれちゃうよ」のいずれかの報知情報を選択して音声出力する。
【００７４】
また、脱水エラー、過電流エラー、ＩＰＭ温度エラー（ＩＣの温度上昇）又はモータ温度エラーなどの異常が発生した場合、入ボタン７２ａ（電源入ボタン）が操作されたタイミングで、「重たい衣類が偏らないようにね」又は「少量の重たい衣類は苦手なんだ。ごめんね」のいずれかの報知情報を選択して音声出力する。なお、図１２に例示した報知情報は一例であって、これらに限定されるものではない。
【００７５】
運転中に異常が発生した場合に、従来のように、単にエラーコードを表示させて、使用者に取扱説明書の記載されたエラーコードと照合してもらうことにより、使用者に所要の対処をしてもらう場合に比べて、本実施の形態では、例えば、音声により図１２に示すような報知情報が出力されるので、使用者は、どのような「お手入れ」をすればよいか、直ちに判断することができ、洗濯機に対するお手入れへの関心を高めることができる。また、使用者はエラーに対して、どのように対処すればよいかが直ぐに解るので、使用者の利便性を向上させることができる。これにより、日々の洗濯を楽しくすることができ、使用者の洗濯への関心を高めることができる。
【００７６】
図１３は本実施の形態の洗濯機１００による報知情報の第９の実施態様例を示す説明図である。なお、図１３に示す報知条件と報知情報とは予め関連付けして記憶部７７に記憶してある。運転制御部１６は、運転中に発生した運転工程（洗い工程、すすぎ工程、脱水工程、乾燥工程など）でのエラー（異常）を検出し、検出したエラーを記録部６２に記録する。そして、図１３に示すように、乾燥フィルタエラーが発生した場合、音声ボタン７２ｅが操作されたタイミングで、「乾燥フィルタのお手入れをしてね」という報知情報を音声出力する。図１３に示す他の報知条件及び報知情報についても同様であるので、説明は省略する。なお、図１３に例示した報知情報は一例であって、これらに限定されるものではない。
【００７７】
運転中に異常が発生した場合に、従来のように、単にエラーコードを表示させて、使用者に取扱説明書の記載されたエラーコードと照合してもらうことにより、使用者に所要の対処をしてもらう場合に比べて、本実施の形態では、例えば、使用者がエラーの内容をもっと詳しく知りたい場合には、音声ボタン７２ｅを操作するだけで、図１３に例示するような報知情報を音声で聞くことができ、どのように対処すればよいかが直ぐに解り、使用者の利便性を向上させることができる。これにより、日々の洗濯を楽しくすることができ、使用者の洗濯への関心を高めることができる。
【００７８】
なお、報知条件及び報知情報は、前述の図５から図１３の例に限定されるものではない。例えば、入ボタン７２ａ（電源入ボタン）が操作された時刻に応じて、当該時刻が午前中であれば、「おはよう」と音声出力し、当該時刻が午後であれば、「こんにちは」と音声出力し、当該時刻が夜間であれば、「こんばんは」と音声出力し、当該時刻が早朝又は深夜であれば、「こんな時刻に大変だね」と音声出力することができる。これにより、使用者は洗濯機に対して親近感を抱くことができ、使用者を楽しい気分にすることができる。
【００７９】
また、予め、１年３６５日の日毎に、何の日であるかを定めておき、入ボタン７２ａ（電源入ボタン）が操作された日に応じて、「今日はＯＯＯの日です」と音声出力することもできる。これにより、使用者を楽しい気分にすることができる。一例として結婚記念日、誕生日など、家族独自のメモリアル日等を設定しておく。このメモリアルの項目、日時を運転履歴情報として記憶部に記憶させる。電源入ボタンの操作の日時が、記憶されたメモリアル日に一致すれば、メモリアル内容「本日は誕生日です。誕生日ケーキでお祝いをしては」といったような音声出力が行われる。これにより、使用者が忘れているような記念日を音声出力により再認識でき、楽しさを一層守り立てる効果も期待できる。
【００８０】
また、予め、１年１２月の月毎に、季節に関連する報知情報を定めておき、入ボタン７２ａ（電源入ボタン）が操作された月に応じて、例えば、梅雨などの６月の場合には「洋服のニオイを抑えるならＡｇ＋イオン」又は「梅雨時期には室内干しコースを」などの音声出力することもできる。これにより、使用者を楽しい気分にさせるとともに、季節に応じた適切なアドバイスを使用者に提供することができる。
【００８１】
本発明によれば、以上説明したように、電源入ボタン７２ａを操作することで上述した発話を行う。これとは別に、電源入ボタン７２ａを操作し、洗濯物の容量検出、また使用する洗剤量を決定することで、図６、図７で説明した前回の洗濯物の量や洗剤量の運転履歴に基づき、報知情報の発話するようにしている。
【００８２】
また、電源入ボタン７２ａの操作により洗濯運転を行っている間に、上述したように決められた条件で、その状況つまり運転履歴に応じた発話を行っている。このような条件で、さらに洗濯運転の終了まで、後３分（単なる一例）になるタイミングで、「残りおよそ３分で洗濯物を取り出せます。」といったように発話することもできる。これは、運転履歴として洗濯の時間がすすぎや脱水工程を含めて３０分が設定（容量センシングを行った場合自動で設定、またユーザが洗濯、すすぎ、脱水の時間を独自で設定）されていれば、２７分が経過した時点で、報知条件が整うことで音声出力できる。
【００８３】
また乾燥運転を行っている場合においても同様である。例えば乾燥運転の時間も自動、またはユーザが設定され、その設定時間に基づき、残り時間が１０分（一例）になれば「もうすぐ乾燥が仕上がります」とった音声出力を行う。この運転履歴は乾燥運転で、音声出力するタイミングは、設定時間の１０分前となる。
以上、洗濯機の運転中に洗濯時間、乾燥時間等の運転履歴が記憶され、洗濯、乾燥の残り時間を条件として音声出力する。これにより、洗濯物の取り忘れの防止策となり、ユーザとしては、音声出力によりその準備を行え、洗濯機との信頼関係も築ける。
もし、洗濯物の取り出し忘れ（長時間放置した後、取り出す場合もある）等があれば、それを運転履歴として記憶しておき、電源ボタンの操作時に、ユーザに念を押すため「洗濯が終われば、洗濯物を取り出すのを忘れないでね。」といった音声出力を行う。このようにすれば、洗濯機との親近感も沸く。
【符号の説明】
【００８４】
１５  操作パネル
７１  ＣＰＵ（判定部、選択部）
７２  操作部
７３  タッチセンサ
７４  ＬＥＤ
７６  報知部
７７  記憶部
１６  運転制御部
６１  ＣＰＵ
６２  記録部
【図１】
2014226418.tif 000003
【図２】
2014226418.tif 000004
【図３】
2014226418.tif 000005
【図４】
2014226418.tif 000006
【図５】
2014226418.tif 000007
【図６】
2014226418.tif 000008
【図７】
2014226418.tif 000009
【図８】
2014226418.tif 000010
【図９】
2014226418.tif 000011
【図１０】
2014226418.tif 000012
【図１１】
2014226418.tif 000013
【図１２】
2014226418.tif 000014
【図１３】
2014226418.tif 000015